(57)【要約】【課題】手摺りが掴み易く利便性を向上することができる浴室ユニットを提供する。【解決手段】浴室ユニット１００は、浴槽１および洗い場床６０が壁面７１ａ，７２ａ等で囲まれており、少なくとも一壁面である壁面７２ａ等に沿って横方向に延びる手摺り４を有する。手摺り４は、横方向の位置に応じて壁面７２ａ等との離間距離が異なる。【選択図】図１
2020033795.tif 000002
【特許請求の範囲】
【請求項１】
浴槽および洗い場床が壁面で囲まれており、少なくとも一壁面において前記壁面に沿って横方向に延びる手摺りを有する浴室ユニットにおいて、
前記手摺りは、横方向の位置に応じて前記壁面との離間距離が異なることを特徴とする浴室ユニット。
【請求項２】
前記手摺りは、前記洗い場床のコーナー側において、前記壁面との離間距離が大きくなる部分を有することを特徴とする請求項１に記載の浴室ユニット。
【請求項３】
前記部分は、前記洗い場床のコーナー側に向かうにつれて、前記壁面との離間距離が徐々に大きくなることを特徴とする請求項２に記載の浴室ユニット。
【請求項４】
前記手摺りは、前記洗い場床においてカウンターが設けられた側の壁面に配設されていることを特徴とする請求項２に記載の浴室ユニット。
【請求項５】
前記手摺りは、前記浴槽のコーナー側において、前記壁面との離間距離が大きくなる部分を有することを特徴とする請求項１に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された洗い場床を有する。浴室ユニットは、周囲を壁部、上方を天井で覆われている。浴室ユニット内には、シャワー装置や給水装置、カウンター、手摺りなどが設けられ、ユーザがより快適に浴室ユニットを利用するための工夫がなされている。例えば、特許文献１には、浴槽と洗い場床を備え、浴槽と洗い場床に跨がって設置された壁パネルの略全幅に亘って手摺りが設けられた浴室ユニットが開示されている。
【先行技術文献】
【特許文献】
【０００３】
【特許文献１】特開２０１６−０９４７２６号公報
【発明の概要】
【発明が解決しようとする課題】
【０００４】
特許文献１に記載の浴室ユニットでは、手摺りが壁パネルの略全幅に亘って設けられているところ、壁パネルの横方向の両端部、即ち浴室ユニットのコーナーにおける手摺りの端部に対して手が届きにくいという問題点があった。
【０００５】
本発明は、斯かる事情に鑑みてなされたものであり、その目的とするところは、手摺りが掴み易く利便性を向上することができる浴室ユニットを提供することにある。
【課題を解決するための手段】
【０００６】
本発明に係る浴室ユニットは、浴槽および洗い場床が壁面で囲まれており、少なくとも一壁面において前記壁面に沿って横方向に延びる手摺りを有する浴室ユニットにおいて、前記手摺りは、横方向の位置に応じて前記壁面との離間距離が異なることを特徴とする。
【発明の効果】
【０００７】
本発明によれば、浴室ユニットは手摺りが掴み易く利便性を向上することができる。
【図面の簡単な説明】
【０００８】
【図１】本発明の実施形態１に係る浴室ユニットの外観を示す斜視図である。
【図２】浴室ユニットの縦断面図である。
【図３】浴室ユニットの図２のＡ−Ａ線による断面図である。
【図４】手摺りの外観を示す斜視図である。
【図５】浴室ユニットの使用状態を説明するための模式図である。
【図６】図６（ａ）〜図６（ｃ）は、手摺りの変形例を示す図３の断面図に相当する模式図である。
【図７】図７（ａ）および図７（ｂ）は、手摺りの別の変形例を示す図３の断面図に相当する模式図である。
【図８】実施形態２に係る浴室ユニットの図３に相当する断面図である。
【図９】図９（ａ）および図９（ｂ）は、実施形態３に係る浴室ユニットの図３に相当する断面図である。
【図１０】実施形態４に係る浴室ユニットの図３に相当する断面図である。
【発明を実施するための形態】
【０００９】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態１）
図１は本発明の実施形態１に係る浴室ユニット１００の外観を示す斜視図、図２は浴室ユニット１００の縦断面図、図３は浴室ユニット１００の図２のＡ−Ａ線による断面図である。尚、図１においては浴室ユニット１００の手前側の壁パネルを省略した。浴室ユニット１００は、浴槽１、シャワー装置２、給水装置３、手摺り４、洗い場床６０および壁部７０等を有する。浴槽１は、平面視矩形状をなし、湯を溜めることができる深皿状である。浴槽１の側方には、浴槽１に隣接して洗い場床６０が設けられている。浴槽１および洗い場床６０は、壁部７０によって周囲が覆われ、上方を天井７６によって覆われている。
【００１１】
壁部７０は、壁部７１，７２，７３および７４を有し、例えば石膏板や樹脂板と、鋼板とを貼り合わせたパネル材などを素材として構成される（図３参照）。壁部７１は、浴槽１における洗い場床６０と反対側の側辺に設けられている。壁部７２および壁部７３は、それぞれ壁部７１の横方向の両端部に連続して壁部７１に直交するように設けられており、浴槽１および洗い場床６０に跨って設けられており、互いに対向している。壁部７４は、洗い場床６０における浴槽１と反対側の側辺に設けられており、壁部７１に対向している。浴室ユニット１００への出入口は、洗い場床６０の側辺に接する、例えば壁部７３または壁部７４に設けられる。浴槽１および洗い場床６０は、壁部７１，７２，７３および７４それぞれの浴室ユニット１００内部を臨む壁面７１ａ，７２ａ，７３ａおよび７４ａによって囲まれている。
【００１２】
図１に示す壁部７１は、開口を有しており、引違い戸などの扉体や、固定の窓などを設けるが、開口を有していなくてもよい。壁部７２の壁面７２ａには、シャワー装置２、給水装置３および手摺り４が配設されている。シャワー装置２は、壁面７２ａの洗い場床６０側における浴槽１と反対側の端部に設けられているが、このほか壁面７２ａの横方向における中央部（浴槽１と洗い場床６０との境目など）に設けてもよい。給水装置３は、壁面７２ａの洗い場床６０側における横方向の中央部に設けられており、シャワー装置２へ給水し、吐出口（図示略）から吐水する。給水装置３は、シャワー装置２とホース２２で接続されるため、シャワー装置２と近い位置に設けることが好ましく、シャワー装置２の位置に応じて壁面７２ａの横方向における中央部に設けてもよい。
【００１３】
シャワー装置２は、浄水機能や、高さ調整可能なスライド機構を有していてもよいし、高さが異なる固定のフックが壁面７２ａに固定的に設けられていてもよい。給水装置３は、切替・水量調節および温度調節が可能としてあり、シャワー装置２および吐出口からの吐水の切替操作、水量および温度を調節する操作により機能する。
【００１４】
また、壁面７２ａには、鏡８１、カウンター８２および棚８３等が配設されている。鏡８１は、壁面７２ａの横方向における両端部に亘って設けられていてもよいし、洗い場床６０側または浴槽１側に設けられていてもよい。カウンター８２は、洗い場床６０側に設けられている。
【００１５】
シャワー装置２、給水装置３、手摺り４、鏡８１、カウンター８２および棚８３等は、ユーザの利便性を向上すべく浴室ユニット１００内の機能を付加するものであり、これらを纏めて機能部品と称する。これらの機能部品は、浴室ユニット１００内の壁面７２ａに配置することで、ユーザの動線が短くなり使い勝手が良くなる。このような機能部品が配置される壁面７２ａを浴室ユニット１００内の機能面と称し、壁部７２を構成するパネル体を機能パネルと称する。
【００１６】
各機能部品は、洗い場床６０に置いた椅子に座ったユーザが使い易いように、例えば、カウンター８２を低い位置に設け、給水装置３、手摺り４、鏡８１の順に高くなるように設ける。手摺り４の高さは、椅子に座ったユーザの手が届き、椅子から腰を上げて中腰または立ち上がった姿勢で降ろした手で掴まることができる高さとするとよい。シャワー装置２は、手摺り４の付近から上方の位置にシャワーヘッドを保持できるよう構成するとよい。また、棚８３は、手摺り４とほぼ同じ高さか、やや下方の高さに設けられる。
【００１７】
図４は、手摺り４の外観を示す斜視図である。手摺り４は、棒状をなし、壁面７２ａの横方向における両端部に亘って設けられている。手摺り４は、軸線方向が壁面７２ａに沿って横方向に延びており、軸方向の複数個所に設けられたブラケット４６によって支持されている。ブラケット４６は、一端部が手摺り４に、他端部が壁面７２ａに接続されて手摺り４を支持する。手摺り４は、壁面７２ａから離間して配設されている。
【００１８】
手摺り４は、浴槽１側の端部から洗い場床６０の中途部まで、壁面７２ａに平行に設けられ、壁面７２ａとの離間距離がほぼ一定となる第１部分４１を有する。また、手摺り４は、洗い場床６０の中途部から洗い場床６０側の端部まで、壁面７２ａからの離間距離が軸方向の位置、即ち壁面７２ａに沿う横方向の位置に応じて変化する第２部分４２を有する。第２部分４２は、洗い場床６０の浴槽１と反対のコーナー側において、壁面７２ａとの離間距離が大きく、さらに、洗い場床６０側の端部に向かうにつれて壁面７２ａとの離間距離が大きくなるように設けられている。第２部分４２は、洗い場床６０の浴槽１と反対側のコーナーに近づくにつれて、壁面７２ａとの離間距離が徐々に大きくなっている。第２部分４２は、洗い場床６０の中央に向かって凹状に湾曲した形状としてあるが、凸状に湾曲した形状であってもよいし、凹状および凸状の湾曲を組み合わせた形状であってもよい。
【００１９】
次に実施形態１に係る浴室ユニット１００の動作について説明する。図５は、浴室ユニット１００の使用状態を説明するための模式図である。図５は、図３に示す断面図に相当しており、浴室ユニット１００の洗い場床６０に置いた椅子にユーザが座っている状態を示している。
【００２０】
ユーザは、洗い場床６０において、壁面７２ａ側を向いて椅子に座り、壁面７２ａに配設されたシャワー装置２および給水装置３等を使って身体を洗う。ユーザは、身体の姿勢を維持し、また姿勢を変える際に、手摺り４に手を伸ばして掴む。ユーザが手を伸ばして掴む手摺り４の位置は、ユーザの肩幅範囲の正面に位置する部分に限られず、肩幅より広い外側の位置であってもよい。図５に示すＰ方向はユーザの肩幅より広い外側の方向を示している。Ｐ方向へ手を伸ばして手摺り４を掴む際に、手摺り４の第２部分４２は、壁面７２ａからの離間距離が大きくユーザに近い位置にあり、掴み易くなっている。このように、手摺り４は、軸方向の位置、即ち壁面７２ａ等に沿った横方向の位置に応じて壁面７２ａ等との離間距離が異なるように設けられることで、ユーザが手を伸ばして手摺り４に届き易くすることができ、利便性を向上することができる。
【００２１】
例えば、ユーザが両手を伸ばして手摺り４を掴む場合、身体の真正面の１点に両手を近づけて手摺り４を掴むよりも、肩幅より広めに腕を広げて手摺り４を掴む方が、身体の安定性が高くなることもある。もし仮りに、手摺り４の第２部分４２が第１部分４１の延長として壁面７２ａに平行に設けられており、腕を曲げずに正面方向へ真っ直ぐに手を伸ばして手摺り４を掴める位置関係でユーザが座っていたとすると、Ｐ方向へ手を伸ばして手摺り４を掴むには、肩の位置がＰ方向へ移動するように姿勢を変えつつ手を伸ばして手摺り４を掴むことになる。これに対して、手摺り４の第２部分４２が壁面７２ａからの離間距離が大きく、ユーザに近い位置となるように設けられていることで、ユーザは、Ｐ方向へ手を伸ばす場合にも、肩を移動させるような姿勢変更をあまり行わなくても、手摺り４の第２部分４２を掴むことができる。また、第２部分４２は、洗い場床６０の浴槽１と反対側のコーナーに近づくにつれて、壁面７２ａとの離間距離を徐々に大きくすることで、直線状または滑らかな曲線状（凹状や凸状等）に形成することができる。
【００２２】
上述のように、ユーザは、座った状態で手摺り４の第２部分４２を掴み易く、さらに腰を上げて立ち上がる際に、手摺り４の第２部分４２がユーザに近い位置にあるため、動作がし易くなる。また、ユーザは、洗い場床６０で立ち上がった状態でも、手摺り４の第２部分４２がユーザに近い位置にあるため、手摺り４を掴み易い。ユーザは、洗い場床６０で身体を洗い終わり、浴槽１へ移動する場合に、手摺り４の第１部分４１および第２部分４２を両手または片手で掴んで移動することができる。
【００２３】
図６（ａ）〜図６（ｃ）は、手摺り４の変形例を示す図３の断面図に相当する模式図である。図６（ａ）に示す手摺り４は、第２部分４２が第１部分４１に対して傾斜した直線状となっている。図６（ｂ）に示す手摺り４は、第２部分４２が第１部分４１と同様に、壁面７２ａと平行であるが、第２部分４２における壁面７２ａからの離間距離が第１部分４１より大きい。図６（ｃ）に示す手摺り４は、第１部分４１および第２部分４２に加えて、壁面７４ａに平行に延びる第３部分４３を有する。尚、図６（ｂ）に示す手摺り４は、第１部分４１と第２部分４２とが壁面７２ａに直交する部材によって繋げられた構成としてあるが、壁面７２ａに直交する部材がなく、第１部分４１と第２部分４２が繋がっていない構成であっても良い。手摺り４は、第１部分４１と第２部分４２が繋がっていない構成であっても、壁面７２ａに沿って横方向に延びることに含まれる。
【００２４】
図６（ａ）〜図６（ｃ）のいずれの手摺り４についても、洗い場床６０の中途部から洗い場床６０側の端部まで、壁面７２ａからの離間距離が軸方向の位置、即ち壁面７２ａに沿う横方向の位置に応じて変化する第２部分４２を有している。尚、図６（ｂ）に示す手摺り４は、第２部分４２内において壁面７２ａからの離間距離はほぼ一定であるが、第１部分４１とは壁面７２ａからの離間距離が異なるため、軸方向の位置に応じて変化するといえる。
【００２５】
また、図６（ａ）〜図６（ｃ）のいずれの手摺り４についても、洗い場床６０の浴槽１側と反対のコーナー側において、壁面７２ａとの離間距離が大きくなる第２部分４２を有している。また、図６（ａ）および図６（ｃ）に示す手摺り４では、第２部分４２は、洗い場床６０の浴槽１と反対側のコーナーに近づくにつれて、壁面７２ａとの離間距離が大きくなっている。
【００２６】
図６（ａ）〜図６（ｃ）のいずれの手摺り４についても、第２部分４２がユーザに近い位置に設けられており、ユーザが手を伸ばして第２部分４２を掴み易くなるので、手摺り４の利便性が向上する。
【００２７】
図７（ａ）および図７（ｂ）は、手摺り４の別の変形例を示す図３の断面図に相当する模式図である。図７（ａ）に示す手摺り４は、第１部分４１に対して第２部分４２が概ね直角に屈曲するように設けられている。第２部分４２の壁面７４ａからの離間距離は、第１部分４１の壁面７２ａからの離間距離よりも大きくなるように設けられている。したがって、手摺り４は、横方向の位置に応じて、壁面７２ａおよび壁面７４ａを含む壁面との離間距離が異なっており、また洗い場床６０の浴槽１側と反対のコーナー側において壁面との離間距離が大きくなっている。
【００２８】
図７（ｂ）に示す手摺り４の第２部分４２は、第１部分４１に対して傾斜した直線状となっているとともに、第１部分４１に対して分離して設けられている。この場合も、手摺り４は、第１部分４１および第２部分４２を含む全体として、壁面に沿って横方向に延びることに含まれている。手摺り４は、洗い場床６０の中途部から、洗い場床６０の浴槽１と反対のコーナー側の端部まで、壁面７２ａからの離間距離が軸方向の位置、即ち壁面７２ａに沿う横方向の位置に応じて変化する第２部分４２を有している。また、手摺り４は、洗い場床６０の浴槽１側と反対のコーナー側において、壁面７２ａとの離間距離が大きくなる第２部分４２を有している。また、第２部分４２は、洗い場床６０の浴槽１と反対側のコーナーに近づくにつれて、壁面７２ａとの離間距離が大きくなっている。
【００２９】
図７（ａ）および図７（ｂ）のいずれの手摺り４についても、第２部分４２がユーザに近い位置に設けられており、ユーザが手を伸ばして第２部分４２を掴み易くなるので、手摺り４の利便性が向上する。
【００３０】
（実施形態２）
実施形態１では、壁面との離間距離が大きくなる第２部分４２を洗い場床６０の浴槽１と反対側のコーナーに設けたが、さらに洗い場床６０の浴槽１側のコーナーに設けてもよい。図８は、実施形態２に係る浴室ユニット１００の図３に相当する断面図である。図８に示す手摺り４は、洗い場床６０の浴槽１側のコーナーに第２部分４２を有しており、この部分に対してユーザが手を伸ばして掴み易くなっている。
【００３１】
洗い場床６０の浴槽１側のコーナーに第２部分４２は、洗い場床６０の浴槽１と反対側のコーナーに設けた第２部分４２と同様に、壁面７２ａからの離間距離が軸方向の位置、即ち壁面７２ａに沿う横方向の位置に応じて変化する。洗い場床６０の浴槽１側のコーナーに設けた第２部分４２は、洗い場床６０の浴槽１のコーナー側において、壁面７２ａとの離間距離が大きく、さらに、浴槽１側の端部に向かうにつれて壁面７２ａとの離間距離が徐々に大きくなるように設けられている。
【００３２】
また、洗い場床６０の浴槽１側のコーナーに設けた第２部分４２は、洗い場床６０の浴槽１側のコーナーに近づくにつれて、壁面７２ａとの離間距離が大きくなっている。第２部分４２は、洗い場床６０の中央に向かって凹状に湾曲した形状としてあるが、凸状に湾曲した形状であってもよいし、凹状および凸状の湾曲を組み合わせた形状であってもよい。
【００３３】
ユーザは、洗い場床６０において壁面７２ａ側を向いて椅子に座った状態または立ち上がった状態で、洗い場床６０の浴槽１側のコーナーに設けた第２部分４２がユーザに近い位置にあり、手を伸ばして第２部分４２を掴み易くなるので、手摺り４の利便性が向上する。尚、洗い場床６０の浴槽１側のコーナーに設けた第２部分４２は、実施形態１において図６（ａ）〜図６（ｃ）ならびに図７（ａ）および図７（ｂ）によって説明した各変形例と同様に変形して構成することができる。
【００３４】
（実施形態３）
実施形態３では、壁面との離間距離が大きくなる第２部分４２を浴槽１のコーナー部分に設ける。図９（ａ）および図９（ｂ）は、実施形態３に係る浴室ユニット１００の図３に相当する断面図である。図９（ａ）に示す手摺り４は、浴槽１の壁面７２ａ側の側辺部の幅で、壁面７２ａに沿って横方向に延びるように配設されており、軸方向の複数個所に設けられたブラケット４６によって支持されている。
【００３５】
手摺り４は、洗い場床６０側の端部から、浴槽１の壁面７２ａ側の側辺部における中途部まで、壁面７２ａに平行に設けられ、壁面７２ａとの離間距離がほぼ一定となる第１部分４１を有する。また、手摺り４は、浴槽１の壁面７２ａ側の側辺部における中途部から浴槽１側の端部まで、壁面７２ａからの離間距離が軸方向の位置、即ち壁面７２ａに沿う横方向の位置に応じて変化する第２部分４２を有する。
【００３６】
第２部分４２は、浴槽１の洗い場床６０と反対のコーナー側において、壁面７２ａとの離間距離が大きく、さらに、浴槽１側の端部に向かうにつれて壁面７２ａとの離間距離が大きくなるように設けられている。第２部分４２は、浴槽１の洗い場床６０と反対側のコーナーに近づくにつれて、壁面７２ａとの離間距離が徐々に大きくなっている。第２部分４２は、浴槽１の中央に向かって凹状に湾曲した形状としてあるが、凸状に湾曲した形状であってもよいし、凹状および凸状の湾曲を組み合わせた形状であってもよい。
【００３７】
図９（ｂ）に示す手摺り４は、浴槽１の壁面７１ａ側の側辺部の幅で、壁面７１ａに沿って横方向に延びるように配設されており、軸方向の複数個所に設けられたブラケット４６によって支持されている。
【００３８】
手摺り４は、壁面７１ａの両端部における浴槽１の両コーナーにそれぞれ、壁面７１ａからの離間距離が軸方向の位置、即ち壁面７１ａに沿う横方向の位置に応じて変化する第２部分４２を有する。また、手摺り４は、壁面７１ａの両端部間の中央部に、壁面７１ａに平行に設けられ、壁面７１ａとの離間距離がほぼ一定となる第１部分４１を有する。
【００３９】
第２部分４２は、浴槽１のコーナー側において、壁面７２ａとの離間距離が大きく、さらに、端部に向かうにつれて壁面７２ａとの離間距離が大きくなるように設けられている。第２部分４２は、浴槽１のコーナーに近づくにつれて、壁面７２ａとの離間距離が徐々に大きくなっている。第２部分４２は、浴槽１の中央に向かって凹状に湾曲した形状としてあるが、凸状に湾曲した形状であってもよいし、凹状および凸状の湾曲を組み合わせた形状であってもよい。
【００４０】
図９（ａ）および図９（ｂ）のいずれの場合においても、ユーザは、浴槽１内で着座または立ち上がった状態において、浴槽１のコーナーに設けた第２部分４２がユーザに近い位置にあり、手を伸ばして第２部分４２を掴み易くなるので、手摺り４の利便性が向上する。尚、浴槽１のコーナーに設けた第２部分４２は、実施形態１において図６（ａ）〜図６（ｃ）ならびに図７（ａ）および図７（ｂ）によって説明した各変形例と同様に変形して構成することができる。
【００４１】
（実施形態４）
実施形態４では、壁面との離間距離が大きくなる第２部分４２を浴槽１および洗い場床６０それぞれのコーナー部分に設ける。図１０は、実施形態４に係る浴室ユニット１００の図３に相当する断面図である。図１０に示す浴室ユニット１００は、壁面７２ａの両端部の間に壁面７２ａに沿って横方向に延びる手摺り４を有する。手摺り４は、軸方向の複数個所に設けられたブラケット４６によって支持されている。また、壁面７３ａ側にも、壁面７２ａ側と同様に手摺り４が設けられるが、記載の簡潔のため、壁面７２ａ側の手摺り４について、以下に説明する。
【００４２】
手摺り４は、壁面７２ａの両端部における浴槽１のコーナーおよび洗い場床６０のコーナーのそれぞれに、壁面７２ａからの離間距離が軸方向の位置、即ち壁面７２ａに沿う横方向の位置に応じて変化する第２部分４２を有する。また、手摺り４は、壁面７２ａの両端部間の中央部に、壁面７２ａに平行に設けられ、壁面７２ａとの離間距離がほぼ一定となる第１部分４１を有する。
【００４３】
第２部分４２は、壁面７２ａの両端部における両コーナーにおいて、壁面７２ａとの離間距離が大きく、さらに、手摺り４の端部に向かうにつれて壁面７２ａとの離間距離が大きくなるように設けられている。第２部分４２は、壁面７２ａの両端部における両コーナーに近づくにつれて、壁面７２ａとの離間距離が徐々に大きくなっている。第２部分４２は、浴室ユニット１００の中央に向かって凹状に湾曲した形状としてあるが、凸状に湾曲した形状であってもよいし、凹状および凸状の湾曲を組み合わせた形状であってもよい。
【００４４】
ユーザは、浴槽１または洗い場床６０で着座または立ち上がった状態において、壁面７２ａの両端部における両コーナーに設けた第２部分４２がユーザに近い位置にあり、手を伸ばして第２部分４２を掴み易くなるので、手摺り４の利便性が向上する。尚、浴槽１のコーナーに設けた第２部分４２は、実施形態１において図６（ａ）〜図６（ｃ）ならびに図７（ａ）および図７（ｂ）によって説明した各変形例と同様に変形して構成することができる。
【００４５】
次に、各実施形態および変形例の浴室ユニット１００の特徴を説明する。
本発明の実施形態および変形例に係る浴室ユニット１００は、浴槽１および洗い場床６０が壁面７１ａ，７２ａ，７３ａおよび７４ａで囲まれており、少なくとも一壁面である壁面７２ａ等に沿って横方向に延びる手摺り４を有する。手摺り４は、横方向の位置に応じて壁面７２ａ等との離間距離が異なる。これにより、浴室ユニット１００は、ユーザが手摺り４を掴み易く利便性を向上することができる。
【００４６】
また手摺り４は、洗い場床６０のコーナー側において、壁面７２ａ等との離間距離が大きくなる第２部分４２を有する。これにより、浴室ユニット１００は、洗い場床６０のコーナー側において、ユーザに近い位置に手摺り４を設けて掴み易くすることができる。また、第２部分４２は、洗い場床６０のコーナー側に向かうにつれて、壁面７２ａ等との離間距離が徐々に大きくなる。これにより、第２部分４２を直線状または滑らかな曲線状（凹状や凸状等）に形成することができる。
【００４７】
また手摺り４は、洗い場床６０においてカウンターが設けられた側の壁面７２ａに配設されている。これにより、浴室ユニット１００は、カウンター等が設けられる壁面を向いて着座または立ち上がった状態のユーザが手摺り４を掴み易くすることができる。
【００４８】
また手摺り４は、浴槽１のコーナー側において、壁面７２ａ等との離間距離が大きくなる第２部分４２を有する。これにより、浴室ユニット１００は、浴槽１のコーナー側において、ユーザに近い位置に手摺り４を設けて掴み易くすることができる。
【００４９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５０】
１  浴槽、  ４  手摺り、  ６０  洗い場床、
７１ａ、７２ａ，７３ａ，７４ａ  壁面、  ８２  カウンター、
１００  浴室ユニット。
【図１】
2020033795.tif 000003
【図２】
2020033795.tif 000004
【図３】
2020033795.tif 000005
【図４】
2020033795.tif 000006
【図５】
2020033795.tif 000007
【図６】
2020033795.tif 000008
【図７】
2020033795.tif 000009
【図８】
2020033795.tif 000010
【図９】
2020033795.tif 000011
【図１０】
2020033795.tif 000012